Podtech/llm-jp-corpus-v4-ja_patent huggingface dataset:
(57)【要約】【目的】  垂直軸型翼車装置の垂直翼が風力により回動して翼衝止棒体或は、翼回転軸に衝突したときに衝撃音が発生する、この衝撃音を減音する、更に、強風にも対応できる構造とする。【構成】  垂直軸型翼車装置の、垂直翼１に弾性骨材４を複数本挿入或は装着したことで、弾性骨材４の先端が翼衝止棒体３或は翼回転軸２に衝突して発生する衝撃音を減音する効果がある、更に、弾性骨材４を強風に対応するよう調整すれば強風にも対応できる。【選択図】図１
2008303864.tif 000002
【特許請求の範囲】
【請求項１】
垂直軸型翼車装置の垂直翼（１）に弾性骨材（４）を翼回転軸（２）に直交するよう複数本挿入或は装着する、該弾性骨材（４）の先端部は翼頭と翼尾より突出する構造とする、該弾性骨材（４）はステンレス製のピアノ線、弾性カーボン繊維線、グラスファイバー等を用いたことで、該弾性骨材（４）が翼回転軸（２）或は翼衝止棒体（３）に衝突しても弾性骨材（４）が衝撃を緩和して減音することを特徴とする垂直軸型翼車装置の垂直翼。
【請求項２】
垂直翼（１）と弾性骨材（４）に一定以上の風力がかかると垂直翼（１）と弾性骨材（４）が湾曲し、翼衝止棒体（３），翼回転軸（２）に衝止することがなく通過して垂直翼（１）は風見鶏の状態となることを特徴とする請求項１記載の垂直軸型翼車装置の垂直翼。
【発明の詳細な説明】
【技術分野】
【０００１】  本発明は風力エネルギー等の流体エネルギーを利用した装置に用いられる垂直軸型翼車装置の翼であって、風車の翼に関するものである。
【背景技術】
【０００２】  垂直軸型翼車装置の垂直翼には回動軸を有するものと、回転軸よりアームで固定された固定翼がある。
本発明の垂直軸型翼車装置の垂直翼は回動軸を有するもの（例えば、特許文献１参照）【０００３】  垂直軸型翼列翼車装置の垂直翼で回動軸を有するもの（例えば、特許文献２参照）【０００４】
【特許文献】
【特許文献１】特願２００３−４３６８１０
【特許文献２】特願２００４−３４３０５７
【発明の開示】
【発明が解決しようとする課題】
【０００５】  特許文献１および特許文献２の垂直軸型翼車装置の垂直翼が風力により回動して翼衝止棒体或は、翼回転軸に衝突したときに衝撃音が発生する、この衝撃音を減音する、更に、強風にも対応できる構造とする。
【課題を解決するための手段】
【０００６】本発明の骨子となる考えは、衝突する対象物が面と面が衝突する時の音量よりも、面と弾性体が衝突する時の音量が少ないことである。【０００７】  本発明の垂直軸型翼車装置の垂直翼１に弾性骨材４を翼回転軸２に直交するよう複数本挿入或は装着する、その弾性骨材４の延長した部分を翼頭或は翼尾より突出させる、その突出部分を翼衝止棒体３或は翼回転軸２に衝突する構造とする。【０００８】  垂直翼１に弾性骨材４を挿入或は装着したことで、弾性力を風力に整合するように調整しておけば強風対策に対応できる。
【発明の効果】
【０００９】  本発明の垂直軸型翼車装置の垂直翼１が風力で回動する、垂直翼１に弾性骨材４を複数本挿入或は装着したことで、弾性骨材４の先端が翼衝止棒体３或は翼回転軸２に衝突して発生する衝撃音を減音する効果がある。【００１０】  垂直翼１に弾性骨材４を挿入或は装着したことで、弾性力を風力に整合するように調整しておけば強風対策に対応できる効果がある。【００１１】  垂直翼１に弾性骨材４を挿入或は装着したことで、垂直翼１に当接した風流線が整えられて、風力が増幅される。
垂直翼１に弾性骨材４を挿入或は装着したことで、垂直翼１の歪みや撓みを緩和する効果がある。
【発明の実施形態】
【００１２】  垂直軸型翼車装置の垂直翼１に弾性骨材４を翼回転軸２に直交するよう複数本挿入或は装着する、その弾性骨材４の先端部は翼頭と翼尾より突出する構造とする、弾性骨材４はステンレス製のピアノ線、弾力性のカーボン繊維線，グラスファイバー等を用いて製作する。
【００１３】  図１及び図２において、翼衝止棒体３の位置が翼頭の弾性骨材４と接する位置に配置してあるが、翼衝止棒体３の位置は翼尾の弾性骨材４と接する位置に配置してもその効果に変わりは無い。
【００１４】  図１及び図２において、弾性骨材４が垂直翼１の芯を貫通しているが、翼回転軸２を周回させてもよい、又は、翼中に固定できれば弾性骨材４に与えられた使命は変わらない。
【００１５】  垂直翼１に弾性骨材４を挿入或は装着したことで、弾性力を風力に整合するように調整しておけば強風に対応できる、しかるに、弾性骨材４に一定以上の風力がかかると垂直翼１と弾性骨材４が湾曲し、翼衝止棒体３，翼回転軸２に衝止することなく通過して垂直翼１は風見鶏の状態となり翼車は回転しなくなる。
【００１６】  垂直翼１に弾性骨材４を挿入或は装着する際は、垂直翼１の歪みや撓みを緩和する構成とする。
【００１７】  弾性骨材４の挿入或は装着方法は翼回転軸２と垂直翼１の素材により選択する。
【産業上の利用可能性】
【００１８】  垂直翼１に弾性骨材４を複数本挿入或は装着し，更に弾性骨材４を垂直翼１より突出させたことで、垂直翼１が翼面と他の面と衝突し衝突音が発生しては困るような場合に利用できる。
翼より弾性骨材４がはみ出さないように構成すれば、翼の歪みや撓みを緩和することができて汎用の旗等が掲揚軸に絡みつくことを防ぐ。
【図面の簡単な説明】
【００１９】
【図１】は、本発明の垂直翼１の側面図である。
【図２】は、本発明の垂直翼１の上面図である。
【符号の説明】
【００２０】１          垂直翼
２          翼回転軸
３          翼衝止棒体
４          弾性骨材
【図１】
2008303864.tif 000003
【図２】
2008303864.tif 000004
(57)【要約】【課題】微出入４に爆発工程の時大きな圧力がかかるのでバネの反発力を大きくしなければならない、バネの反発力が大きいとロータ、吸入回転弁。排気回転弁の各各の角に設けた微回転を挟んだ微出入が接っしながら回転する時微出入が僅かに凹むので吸入回転弁弦部及び排気回転弁弦部及びロータ後部及ロータ前部に無理がかかるので出来ればバネは反発力が小さくてすむようにする。【解決手段】微出入４の近く又は微回転と微出入を通して微出入４の奥のバネ室１まで通ずる穴を設ける。【選択図】図１
2008303870.tif 000002
【特許請求の範囲】
【請求項１】
真円ロータリーエンジンのロータの先端部の角部及び吸入回転弁の角部及び排気回転弁の角部に奥に広がるひっかかりの溝を設け、溝の中に微回転（５）を挟んだ微出入（４）を設け微出入の奥にバネ（２）を設けて押し、某所に圧力消穴（６）を設けて微出入（４）の奥からも圧力をかける事により互いに力を消す事を特徴とした圧力消穴。
【発明の詳細な説明】
【技術分野】
【０００１】真円ロータリーエンジンのロータの角部及び吸入回転弁の角部及び排気回転弁の角部の複合シールの微出入に爆発工程により大きな圧力がかかるのでそれに反発するバネの力が大きくなるのでロータの角部に設けた微出入と吸入回転弁弦部及び排気回転弁弦部が接っする時微出入の方が僅かに凹みながら回転するので吸入回転弁及び排気回転弁に無理がかかる、そして吸入回転弁の角部の微回転とロータ後部が接っしなから回転し、排気回転弁の角部の微回転とロータ前部が接っしながら回転する時微回転を挟む微出入が僅かに凹むのでロータに無理がかかる。出来れば微出入を押すバネの反発力を小さくしたい。
【背景技術】
【０００２】特願２００６−２４２１４２等がある。
【発明の開示】
【発明が解決しようとする課題】
【０００３】微出入４が爆発工程の時大きな圧力がかかるので反発力の大きいバネを必要とするが反発力の大きいバネだとロータの先端部の角部に設けた微出入に挟まれた微回転と吸入回転弁弦部及び排気回転弁弦部が接っしながら回転しそして吸入回転弁角部に設けた微出入に挟まれた微回転とロータ後部が接っしながら回転しそして排気回転弁角部に設けた微出入に挟まれた微回転とロータ前部が接っしながら回転する時微出入が僅かに凹むので微出入が接っする相手側に無理がかかるので微出入を押すバネの反発力を出来だけ小さくてすむようにする。
【課題を解決するための手段】
【０００４】微出入４の近く又は微回転に穴をあけてそして微出入にも穴をあけてその穴を微出入４の奥のバネ室１まで通ずる。
【発明の効果】
【０００５】真円ロータリーエンジンが爆発工程の時微出入の裏側からも気体が入るので微出入を裏側からも押すので互に圧力を消し合うので反発力の大きなバネを必要としない。
【発明が実施するための最良の形態】
【０００６】微出入４の近くに圧力消穴４を設けて微出入４の奥のバネ室１まで通ずる。
【実施例】
【０００７】圧力消穴は、微出入をかん通させる事もある。
【産業上の利用分野】
【０００８】真円ロータリーエンジンのシール
【図面の簡単な説明】
【０００９】
【図１】  圧力消穴
【図２】  真円ロータリーエンジンの全体図。
【符号の説明】
【００１０】  バネ室      １
バネ        ２、８、９
ひっかけ    ３
微出入      ４
微回転      ５
圧力消穴    ６
ロータ      ７
【図１】
2008303870.tif 000003
【図２】
2008303870.tif 000004
(57)【要約】【課題】微出入３に爆発工程の時大きな圧力がかかるのでバネの反発力を大きくしなければならない、バネの反発力が大きいとロータ、吸入回転弁、排気回転弁が接っし微出入が凹むように回転するので各各に無理がかかる。出来ればバネの反発力が小さくてすむようにする。【解決手段】微出入３の近くに反発用穴４を設けて反発用穴をバネ室９まで通ずる。【選択図】図１
2008303869.tif 000002
【特許請求の範囲】
【請求項１】
真円ロータリーエンジンのロータ及び吸入回転弁及び排気回転弁の角部の所に断面円形の空洞部を設け空洞部に外側に角部をもった微回転（５）を設け、微回転の角部の所に奥に広がるひっかかりをもった溝を設け、溝の中に微出入（３）を設け、微出入（３）の近くにバネ室（９）まで通じた反発用穴（４）を設ける事を特徴とした反発用穴。
【発明の詳細な説明】
【技術分野】
【０００１】真円ロータリーエンジンのロータ及び及び吸入回転弁及び排気回転弁の角部の複合シールの微出入に爆発工程により圧力がかかるのでそれに反発するバネの力が大きくなるのでバネの反発力を小さくてすむようにする。
【背景技術】
【０００２】特願２００６−２４２１４２等がある。
【発明の開示】
【発明が解決しようとする課題】
【０００３】微出入３が爆発工程のとき大きな圧力がかかるので反発力の大きいバネを必要とするが反発力の大きいバネだとロータの先端部の角部と吸入回転弁弦部及び排気回転弁弦部が接っしながら回転するので微出入が僅かに凹んで回転する事により吸入回転弁及び排気回転弁に大きな力がかかるのでバネの反発力を小さくてすむようにする。
【課題を解決するための手段】
【０００４】微出入の近くに反発用穴４を設けて微出入の奥のバネ室９まで通ずる。
【発明の効果】
【０００５】真円ロータリーエンジンが爆発工程の時微出入の裏側からも気体が入るので押されて互に力が相殺されて反発力の大きなバネを必要としない。
【発明が実施するための最良の形態】
【０００６】真円ロータリーエンジンのロータ及び吸入回転弁及び排気回転弁の角部に円形の空洞部を設けて空洞部に表側に角部をもった円形の微回転５を設け、角部に奥にひっかかりの広さがある溝を設けて、溝にひっかかり付の微出入３を設け、微出入の近くに反発用穴４を設けて微出入の奥のバネ室９まで通ずる。バネは空気で冷やす。
【実施例】
【０００７】微出入３は出来だけ短かくする。
【産業上の利用分野】
【０００８】真円ロータリーエンジンのシール。
【図面の簡単な説明】
【０００９】
【図１】反発用穴の全体図
【符号の説明】
【００１０】バネ          １、７、８
微回転        ２、５
微出入        ３
反発用穴      ４
ロータ先端部  ６
バネ室        ９
【図１】
2008303869.tif 000003
(57)【要約】【課題】  この発明は決められた一定の動力のコンプレッサーによって作り出される一定量の空気を水中に放出し、その泡の浮力を水深を利用して連続的に増大させて利用する連続浮力発電装置である。【解決手段】  水面近くと水底近くに固定した歯車Ａ（３）と歯車Ｂ（４）の間にキャタピラ（５）をセットし、そのキャタピラに多数のバケット（６）を取り付け水中に放出された泡を順次一番下のバケットに満たしてやり、バケットの空気の浮力を歯車Ａ（３）と歯車Ｂ（４）の回転力とし、変速機（７）を経由して発電機（８）の回転動力とする。【選択図】図１
2008303865.tif 000002
【特許請求の範囲】
【請求項１】
水面近くに固定した歯車Ａ（３）を設け、水中に固定した歯車Ｂ（４）を設け、その間にキャタピラ（５）をセットし、キャタピラ（５）にバケット（６）を数多く取り付け、一定の決められた動力によるコンプレッサー（１）からの圧縮空気を空気管（２）を通して水中に泡として放出し、その泡をバケット（６）に満たし、そしてキャタピラ（５）のスピードを変速機（７）によりコントロールして、順次効率よく泡をバケットに満たし、その大きな浮力によって歯車Ａ（３）、歯車Ｂ（４）を回転させ、発電機（８）の回転動力として利用する事を特徴とする連続浮力発電装置
【発明の詳細な説明】
【技術分野】
【０００１】  本発明は一定の動力のコンプレッサーで作り出される圧縮空気を水中に放出し、水深を利用してその空気を連結したバケットにため、その浮力をコンプレッサーに使用した動力の何倍もの動力として利用した連続浮力発電装置に関するものである。
【背景技術】
【０００２】    従来空気の浮力を利用するものは色々あったが、あらかじめ決められた動力によって作り出される一定量の空気の浮力を連続的に増大させて利用するものはなかった。
【発明の開示】
【発明が解決しようとする課題】
【０００３】  本発明は連続浮力発電装置を設置するにあたり、海や湖はもちろんの事、高層ビルを利用して水槽を造り、連続浮力発電装置一式をセットすればビルで利用する電気を賄うことも可能であり、規模を大きくすれば都会の真ん中に発電所を作ることも出来るし、最初手動により動かし、正常に運転しだすとコンプレッサーに必要な電気量の何倍もの発電量が得られる。
【課題を解決するための手段】
【０００４】  固定した歯車Ａ（３）・歯車Ｂ（４）の間にキャタピラ（５）をセットし、キャタピラ（５）にバケット（６）を取り付け、コンプレッサー（１）より空気管（２）を経由して送られてくる空気で図１の左側の各バケット（６）の何個かに最初は手動により空気を満たしてやると空気の浮力でキャタピラ（５）は動き出す。後は次々と下のバケット（６）に空気が満たされるので自動的に動き出す。又、変速機（７）によりキャタピラ（５）のスピードをコントロールする事により空気を効率よくバケット（６）に入れることが出来る。
【発明の効果】
【０００５】  本発明の作用を述べると、最初バケットに空気を満たさない状態では左右のバケットの重みでつり合っているが、左側のバケットの何個かに手動により空気を満たしてやると、浮力によりバランスがくずれ動き出す。後は次々と下のバケットに空気が満たされるので自動的に動き出す。すなわち左右のバケットのバランスがくずれ動き出した時点で、まだ空気を満たしていない左側のバケットの数に空気を満たした空気量の浮力を歯車Ａ、Ｂの回転力として利用できる。これで分かるように水深を利用して、バケットの数を増やせば増やすほど大きな浮力を連続して利用できる。
【発明を実施する為の最良の形態】
【０００６】  本発明の連続浮力発電装置は海や湖の水深のある所で利用できるが、高層ビル等を利用し、水槽を造り連続浮力発電装置一式をセットすればビルで使用する電気を賄うことも可能であり、買電と併用すればパソコンの停電対策として、あるいは病院の停電対策として有効で、水槽の水は火事などの時、消火水としても利用できる。また、変速機のスピードを変える事により簡単に発電量もコントロールできるし、未開の土地でも燃料をほとんど必要としないで大きな安定した発電量が得られる。
【実施例１】
【０００７】  高層ビルを利用して水槽を造り、連続浮力発電装置をセットした場合、都会の真ん中に発電所が出来たのと同じで送電線が大幅にカットでき、使用するのは空気と水だけなので自然になんら悪影響を及ぼさないし、風力発電や水力発電のように場所を限定される事もない。
【図面の簡単な説明】
【０００８】
【図１】本発明の動作説明図
【図２】本発明のキャタピラとバケットの斜視図で１部断面図
【符号の説明】
【０００９】（１）は  コンプレッサー
（２）は  空気管
（３）は  歯車Ａ
（４）は  歯車Ｂ
（５）は  キャタピラ
（６）は  バケット
（７）は  変速機
（８）は  発電機
（９）は  水面
【図１】
2008303865.tif 000003
【図２】
2008303865.tif 000004
(57)【要約】【課題】微出入５に爆発工程の時に大きな力がかかるのでバネの反発力を大きくしなけれはならない、バネの反発力が大きいとロータ、吸入回転弁、排気回転弁が接っし微出入が凹むように回転するので各各に無理がかかる。出来ればバネの反発力が小さくてすむようにする。【解決手段】ロータ先端部及び吸入回転弁及び排気回転弁の各各の角部に奥にひっかかりのある溝を設けて溝に微回転６を挟んだ微出入５を設けその隣りに圧力消プレート８を設けて各各の奥側に嵌合部３、１０を設けて圧縮をかけられた支持バネ１２に支えられたてんびん１４に回転自由に嵌合する。微出入にひっかけ３を設けてロータ及び各各の弁に支持させ、微出入５はバネ１で押し、圧力消プレート８はバネ１１で引く。【選択図】図１
2008303871.tif 000002
【特許請求の範囲】
【請求項１】
真円ロータリーエンジンのロータの先端部の角部及び吸入回転弁の角部及び排気回転弁の角部に奥に広がるひっかかりの溝を設け、溝の中に微回転（６）を挟んだ微出入（５）を設け、某所にも溝を設けて溝の中に圧力消プレート（８）を設けて支持バネ（１２）で支えられたてんびん（１４）に微出入（５）と圧力消プレート（８）を回転自由に嵌合した事を特徴とした圧力消プレート。
【請求項２】
微出入（５）の奥側に圧縮バネ（１）を設け、圧力消プレート（８）の奥側に引張りバネ（１１）を設けて通じた双方のバネ室１５に油を入れる事を特徴とした圧力消プレート。
【発明の詳細な説明】
【技術分野】
【０００１】真円ロータリーエンジンのロータ及び吸入回転弁及び排気回転弁の角部の複合シールの微出入に爆発工程により圧力がかかるのでそれに反発するバネの力が大きくなるのでバネの反発力を小さくてすむようにする手段です。
【背景技術】
【０００２】特願２００６−２４２１４２等がある。
【発明の開示】
【発明が解決しようとする課題】
【０００３】微出入５が爆発工程の時大きな圧力がかかるので反発力の大きいバネを必要とするが反発力の大きいバネだとロータの先端部の角部と吸入回転弁弦部及び排気回転弁弦部が接っしながらそして吸入回転弁角部とロータ後部が接っしながらそして排気回転弁角部とロータ前部が接っしながら各各微出入の方が僅かに凹んで回転するので吸入回転弁弦部及び排気回転弁弦部及びロータ前部及びロータ後部に大きな力がかかるので出来ればバネの反発力が小さくてすむようにする。
【課題を解決するための手段】
【０００４】微出入５の他にもう１個の圧力で出入する圧力消プレートを設けて奥側に嵌合部を設けて圧縮をかけられた支持バネ１２に支えられたてんびん１４と各各回転自由に嵌合する。請求項１の某所の溝は出来れば隣りに設ける。【０００５】微出入にひっかかりを設けてロータに支持させ、微出入５をバネ１で押す又はてんびん１４を介してバネ１で押す、そして隣りに設けた圧力消プレート８をバネ１１で引く、支持バネ１２は微出入と圧力消プレートにかかる圧力の両方の力にも凹まない反発力が必要である。
【発明の効果】
【０００６】真円ロータリエンジンが爆発工程の時圧力消プレートもいっしょに押すのでその反発として奥側から微出入を押すので微出入を押すバネの力が小さくてすむ。
【発明が実施するための最良の形態】
【０００７】微出入５の隣りに圧力消プレート８を設けて各各の奥側に嵌合部を設けててんびん１４と各各回転自由に嵌合し、微出入５をバネ１で押し、圧力消プレート８をバネ１１で引く、てんびん１４の中央に圧縮をかけられた支持バネ１２で支持する。微出入５にひっかけ４を設けてロータに支持する。バネ２、７、１、１１、１２を空気で冷やす。
【実施例】
【０００８】バネ室１５に油を入れる時はてんびん１４と支持バネ１２は必要ない、そしてバネ室１５の両端部にプレートで微出入及び圧力消プレートがスライド可で塞ぐ。
油はてんびんの替りの力を伝える手段とする事もある。
【産業上の利用分野】
【０００９】真円ロータリエンジンのシールに利用。
【図面の簡単な説明】
【００１０】
【図１】  圧力消プレートの全体図。
【図２】  真円ロータリーエンジンの全体図。
【符号の説明】
【００１１】  バネ                １、２、７、１１
嵌合部              ３、１０
ひっかけ            ４
微出入              ５
微回転              ６
圧力消プレート      ８
ロータ              ９
チェーン            １３
てんびん            １４
支持バネ            １２
バネ室              １５
【図１】
2008303871.tif 000003
【図２】
2008303871.tif 000004
(57)【要約】【課題】  本発明は、衣服着用後の、洗顔、介護中の給水、食事時等の着用衣服の水濡れ防止用、ワンタッチ洗顔用胸当てに関するものを提供する。【解決手段】  胸当ての首の襟部分と、裾の部分に自在に変形する布覆いワイヤーを使用し、髪や衣服の襟部分の絡みや付着を防止し、襟の部分を布覆いワイヤーで押さえ、並びに、裏面に撥水、表面に吸水力の大きな布地を使用して、飛沫水での、衣服の水濡れを防止すると共に使用者の希望に副って交差するだけで、装着を簡単で容易にすることを特徴とする、着用衣服の水濡れ防止用、ワンタッチ洗顔用胸当て。【選択図】図１
2008303520.tif 000002
【特許請求の範囲】
【請求項１】
胸当ての首の襟部分と、裾の部分に自在に変形する布覆いワイヤーを使用し、髪や衣服の襟部分の絡みや付着を防止し、襟の部分を布覆いワイヤーで押さえ、並びに、裏面に撥水、表面に吸水力の大きな布地を使用して、飛沫水での、衣服の水濡れを防止すると共に使用者の希望に副って交差するだけで、装着を簡単で容易にすることを特徴とするワンタッチ洗顔用胸当て。
【発明の詳細な説明】
【技術分野】
【０００１】  本発明は、衣服着用後の、洗顔、介護中の給水、食事時等の着用衣服の水濡れ防止、ワンタッチ洗顔用胸当てに関するものである。
【背景技術】
【０００２】  従来、外出着などの衣服着用後に洗顔を行うと、洗顔時の飛沫水で、着用衣服の首から胸、腹部にかけて濡らしたりして、ドライヤーで乾かすか、着替えるかしていた。なお、防水用、吸水の胸当て、エプロン等は、色々あるが、いずれも装着方法として、紐、面テープ、又は、帯状の復元可能なＡＢＳ樹脂等を使用しているが、一般の使用者または、介助者が首まわりの髪の毛、襟、ネックレス等との絡みを、気にすることなく、また、腹回りの大小、衣服の形状も気にせずに後ろで、複雑な手の動きをする事無く簡単に装着できるものが少ない。
【発明の開示】
【発明が解決しようとする課題】
【０００３】  そのために、次のような問題点があった。
（イ）紐の場合は、基本的に後ろに結ぶために、髪が絡んだり、固結び等になって結んだ紐が解きづらくなったりしていた。また、介助を要する場合は、他人から装着してもらうことが多い。
（ロ）面テープの場合は、髪の毛（長髪）がテープに絡み付着し髪をはずそうとしても、なかなか外れなくて痛い思いをしていた。また、セーター等の柔らかい衣服は、毛羽立ちを起こしたり傷つけたりしていた。
（ハ）帯状の復元可能なＡＢＳ樹脂等の場合は、首まわりの大小、着用の衣服などでそれぞれ首の絞まり具合が異なる為に使用者の希望に添えないのでしっくりいかなかった。
また、帯状であるため首が動くときに下顎等に当たる場合がある。
（ニ）一般に、胸当ては、介護用、幼児用に作製してあるため必要以上に覆い面があり、一般の使用者には抵抗がある。
本発明は、以上の問題点を解決し、使用者が、快適に気軽に使えるワンタッチ洗顔用胸当てである。
【課題を解決するための手段】
【０００４】  胸当ての首の襟部分と、裾の部分に自在に変形する布覆いワイヤーを使用し、髪や衣服の襟部分の絡みや付着を防止し、襟の部分を布覆いワイヤーで押さえ、並びに、裏面に撥水、表面に吸水力の大きな布地を使用して、飛沫水での、衣服の水濡れを防止すると共に使用者の希望に副って交差するだけで、装着を簡単で容易にすることを特徴とするワンタッチ洗顔用胸当て。
【発明の効果】
【０００５】  本発明は、首まわりの部分、腹まわりの裾部分に布覆いワイヤーを使用しているため、後ろまで手を廻さずに軽く交差して、洗顔、介護中の給水、食事での衣服の水濡れを防止するため、使用者または、介助者が自由に適切に、ワンタッチで装着できる。このため、外出着などの衣服着用後の洗顔また、帰宅後の洗顔もワンタッチで装着するだけで、衣服の水濡れを気にすることなくできる。収納時には、掛けることも、コンパクトにたたむこともできる。
【発明を実施するための最良の形態】
【０００６】（イ）胸当ての首周り部分の装着体には、自在に変形する首用ワイヤー（５）の全体を、（１）の様に袋状の布、首用覆い布（４）で覆い、装着用とする。そして、その首用布覆いワイヤー（１）を、取り付けるため、ネックラインに沿って折り曲げて縫い、首用布覆いワイヤー通し口（９）設け、そこから首用布覆いワイヤー（１）を通し、首部分の装着体とする。
（ロ）胸当て部分（２）は、胸部分の幅を顔の幅ぐらいとし、裾の部分は、腹を覆うほどの幅にして、横は弧状にして右下部分にポケット（６）を設けた。
（ハ）裾部分の装着体は、（イ）と同じように、自在に変形する裾用ワイヤー（８）を（３）の様に袋状の布、裾用覆い布（７）で覆い裾周り部分の装着用とする。裾周り部分を、折り曲げて縫い、裾用布覆いワイヤー通し口（１０）を設けてそこから裾用布覆いワイヤー（３）を、通して、裾部分の装着体とする。
以上の構成からなるもので本発明を使用するときは、一般の使用者が、衣服の上からでも、首の装着部分の布覆いワイヤーと、裾部分の布覆いワイヤーをそれぞれ交差するだけで、自由な装着を可能にし、小物用のポケットも設けた、快適に気軽に使える着用衣服の水濡れ防止用、ワンタッチ洗顔用胸当てである。
【図面の簡単な説明】
【０００７】
【図１】本発明の全体図
【図２】本発明の分解図
【符号の説明】
【０００８】  １  首用布覆いワイヤー
２  胸当て
３  裾用布覆いワイヤー
４  首用覆い布
５  首用ワイヤー
６  ポケット
７  裾用覆い布
８  裾用ワイヤー
９  首用布覆いワイヤー通し口
１０  裾用布覆いワイヤー通し口
【図１】
2008303520.tif 000003
【図２】
2008303520.tif 000004
(57)【要約】【課題】  防腐効果を持つ紙おしぼり・お手ふき用不織布を製造する。【解決手段】  ブチルカルバミン酸ヨウ化プロピニルおよび／またはパラオキシ安息香酸エステルを添加したバインダーで不織布を製造することにより、保存性の高い紙おしぼり・お手ふきを提供することが可能になる。【特許請求の範囲】
【請求項１】
バインダーにブチルカルバミン酸ヨウ化プロピニルおよび／またはパラオキシ安息香酸エステルを配合してなる紙おしぼり・お手ふき用不織布。
【請求項２】
ブチルカルバミン酸ヨウ化プロピニルおよび／またはパラオキシ安息香酸エステルを配合したバインダーを用いたエアレイド法の不織布製造方法。
【発明の詳細な説明】
【技術分野】
【０００１】  本発明は、紙おしぼり・お手ふき用の不織布に関する。詳しくはブチルカルバミン酸ヨウ化プロピニルおよび／またはパラオキシ安息香酸エステルを配合したバインダーを用いた不織布に関するものである。
【背景技術】
【０００２】  紙おしぼり・お手ふきは水を含むという性質上、微生物（細菌類・真菌類）の繁殖の危険性がある。このため加工液には防腐剤が配合されている。しかしその配合成分や配合量においては使用用途を考慮すると、安全性の高い物質でなければならない。【０００３】  またウェットティシューとは異なり、簡易、個包装であるにもかかわらず３〜６ヶ月の保存期間が考えられ、その保管には夏季は冷たく、冬季は暖かくするなどの条件により、より強力な防腐効果が求められている。【０００４】  また紙おしぼり・お手ふきの加工に関しては、ほとんどがスプレー方式によるもので、均一に処理することがむずかしいため、加工液の浸透性及び分散性が重要になる。
【発明の開示】
【発明が解決しようとする課題】
【０００５】  本発明では、紙おしぼりやお手ふきに用いる不織布自体に防腐効果を持たせることにより十分な保存効果を付与することを目的とする。
【課題を解決するための手段】
【０００６】  本発明者らは上記の課題を解決する為、安全性を考慮し、化粧品に配合できる成分の中から使用することにより、安全かつ効果的な紙おしぼり・お手ふき保存時の細菌類・真菌類の増殖を抑制する配合を発見し、本発明を完成した。
【発明の効果】
【０００７】  不織布製造時に用いるバインダーに化粧品に添加可能な薬剤を添加，加工することにより紙おしぼり・お手ふきの保存時に十分な防腐効果が得られた。
【発明を実施するための最良の形態】
【０００８】  本発明の配合成分であるブチルカルバミン酸ヨウ化プロピニルは、ヨウ素を含むカーバメイト系の化合物であり、真菌類に対して高い殺菌効力を持つ。【０００９】  皮膚に対する刺激性は若干あるものの、本発明の使用においてはほとんど刺激性はみられない。【００１０】  またもう１つの成分であるパラオキシ安息香酸エステルは、食品添加物，化粧品原料基準等で保存剤，防腐剤に認可された薬剤であり、特に細菌類に対して殺菌効果を持つ。【００１１】  本発明の配合成分をバインダーに添加する方法としては、フロアブルや界面活性剤を用いた乳化物などがあるが、特に限定されるものではない。
【実施例】
【００１２】  以下、実施例により詳細説明する。しかし本発明はこれらの実施例に限定されるものではない。【００１３】  （試料作成）合成樹脂繊維とセルロースパルプ繊維とを３０：７０の比率で混合し、エアレイド法にて４０ｇ／ｍ２のウェブを作成した。その後、バインダーとしてアクリル系樹脂エマルジョン（Ｎｉｐｏｌ  ＬＸ８５２：日本ゼオン（株））をスプレー散布し、スルーエアオーブンにて乾燥シートを得た。バインダーのスプレー量は対ウェブ１０％の量（４ｇ／ｍ２）とした。【００１４】  バインダーの添加したブチルカルバミン酸ヨウ化プロピニル（ヨートルＩＰ：三井化学（株））及びパラオキシ安息香酸エステル（ソブレロール：ランクセス（株））の配合は表１に示す。なおブチルカルバミン酸ヨウ化プロピニルは界面活性剤を用い、１０％フロアブルを作成しバインダーに添加、パラオキシ安息香酸エステルは界面活性剤を用い、自己乳化物を作成しバインダーに添加した。【００１５】
【表１】
2008303517.tif 000002
【００１６】試験方法１
抗菌試験：ＪＩＳ  Ｌ−１９０２繊維製品の抗菌性試験に準じた。
供試細菌
Ａ：Ｅｓｃｈｅｒｉｃｈｉａ  ｃｏｌｉ  ＮＢＲＣ  ３３０１（大腸菌）
Ｂ：Ｓｔａｐｈｙｌｏｃｏｃｃｕｓ  ａｕｒｅｕｓ  ＮＢＲＣ  １２７３２（黄色ブドウ球菌）
防カビ試験：ＪＩＳ  Ｚ−２９１１カビ抵抗性試験  繊維試験指定繊維カビ
Ａ：Ａｓｐｅｒｇｉｌｌｕｓ  ｎｉｇｅｒ  ＦＥＲＭ  Ｓ−１
Ｂ：Ｐｅｎｉｃｉｌｌｉｕｍ  ｃｉｔｒｉｎｕｍ  ＦＥＲＭ  Ｓ−５
Ｃｈａｅｔｏｍｉｕｍ  ｇｌｏｂｏｓｕｍ  ＦＥＲＭ  Ｓ−１１
Ｍｙｒｏｔｈｅｃｉｕｍ  ｖｅｒｒｕｃａｒｉａ  ＦＥＲＭ  Ｓ−１３  以上３種の混合【００１７】  判定方法
抗菌試験  細菌・・・効果有り  （−）
効果なし  （＋）
防カビ試験・・・ＪＩＳ  Ｚ−２９１１  カビ抵抗性試験  表示方法による
０・・・試料上にカビの発育なし
右側の数値は発育阻止ｍｍ数
１・・・試料上のカビの発育面積が全体の１／３以下
２・・・試料上のカビの発育面積が全体の１／３以上【００１８】  抗菌防カビ試験の結果を表２に示す。【００１９】
【表２】
2008303517.tif 000003
【００２０】  試験方法２
作成した試料を煮沸して冷やした水道水に浸漬（絞り率：２００％）し、ビニル袋に入れ、密封した。その後２８℃の恒温器に２週間保存し試料の状態を確認した。その結果を表３に示す。【００２１】
【表３】
2008303517.tif 000004
【産業上の利用可能性】
【００２２】
【００２３】  以上のごとく、ブチルカルバミン酸ヨウ化プロピニルおよび／またはパラオキシ安息香酸エステルで処理した不織布は、優れた抗菌・防カビ効果を発揮する。
(57)【要約】 【課題】住宅等の基礎に使用される鋼管ソイルセメント複合杭。【解決手段】ソイルセメント杭の芯材とし、外周に所要間隔をもって羽片を突設したバンド状金具を固着した鋼管を埋設してある。【選択図】    図１
2008303608.tif 000002
【特許請求の範囲】
【請求項１】
ソイルセメント杭の芯材として、外周に所要間隔をもって翼片を突設したバンド状金具を固着した鋼管を埋設してあることを特徴とする鋼管、ソイルセメント複合杭。
【発明の詳細な説明】
【技術分野】
【０００１】
この発明は、主として住宅あるいは小規模の建物の基礎杭として用いられる鋼管、ソイルセメント複合杭の改良に係るものである。
【背景技術】
【０００２】
表面に多数凸凹条を形成した鋼管の内外にソイルセメントを注入し、充填して合成杭としたものは参考文献１に示される発明が著名である。
【０００３】
出願人は先にその複合杭を改良して所要間隔に凹溝を形成して安価に提供することができる発明を参考文献２に提案している。
【０００４】
【特許文献１】特許第2731806号公報
【特許文献２】特許願2006-013784号
【発明の開示】
【発明が解決しようとする課題】
【０００５】
深層混合処理工法によるソイルセメント杭は支持力的なポテンシャルは大きいにもかかわらず、土質や施工の状況により、例えば有機土質、高粘性地盤、攪拌不良等により固化不良が発生する場合があることから、支持力算定式の支持力係数が小さく評価されている。鋼管を使用した基礎杭は高価格で価格高騰を生ずる場合があり、また鋼管の材料強度は大きいが断面積が小さいので、底盤支持力、周辺摩擦力が小さい欠点があり、改良が要望されてきた。
【課題を解決するための手段】
【０００６】
この発明はソイルセメント杭の芯材として、外周に所要間隔をもって羽片を突設したバンド状金具を固着した鋼管を埋設してある鋼管、ソイルセメント複合杭である。
【実施例１】
【０００７】
施工に際しては掘削、攪拌ロッドにより先端部をセメントミルク等の固化剤を注入しながら削孔、攪拌して土壌と固化剤を混合してソイルセメント杭１を造成し、そのソイルセメントの未硬化の状況で、芯材の鋼管２を挿入埋設する。その芯材となる鋼管２には羽根３を放射状に突設したバンド状金具４を溶接または止金具等を利用して固着する。
【０００８】
このバンド状金具４は芯材の鋼管２より大きい内径の短い鋼管が使用され、羽根３は２枚乃至５枚程度で、その長さおよびバンド状金具４の間隔は地盤の状況に応じて適宜選択される。
【０００９】
このバンド状金具４は深い箇所では密な間隔であり、地表近くでは粗な間隔で、適宜要求される耐力に応じて設計される。
【産業上の利用可能性】
【００１０】
この発明は以上の構成からなり、芯材となる鋼管に対し、特殊な加工を施すことがなく、単にバンド金具を準備し、要求される耐力に応じて適宜間隔を調節して取付ければよく、施工性が良く、かつ安価に提供することができる。
【図面の簡単な説明】
【００１１】
【図１】鋼管、ソイルセメント複合杭の立面図である。
【図２】図１の横断面図である。
【図３】バンド状金具の斜視図である。
【図４】他の実施例の立面図である。
【図５】他の実施例の横断面図出る。
【符号の説明】
【００１２】
１…ソイルセメント杭
２…鋼管
３…羽根
４…バンド状金具
【図１】
2008303608.tif 000003
【図２】
2008303608.tif 000004
【図３】
2008303608.tif 000005
【図４】
2008303608.tif 000006
【図５】
2008303608.tif 000007
【手続補正書】
【提出日】平成19年6月11日(2007.6.11)
【手続補正１】
【補正対象書類名】明細書
【補正対象項目名】０００８
【補正方法】変更
【補正の内容】
【０００８】
このバンド状金具４は芯材の鋼管２より大きい内径の短い鋼管が使用され、羽根３は２枚乃至５枚程度で、垂直な面、傾斜面あるいは螺旋状の一部とすることができる。その長さおよびバンド状金具４の間隔は地盤の状況に応じて適宜選択される。
(57)【要約】【課題】室内に放散されたＶＯＣを吸着・分解することで得られた比較的清浄な空気を再び室内に還流することを目的とする。【解決手段】有機化合物を吸着・分解する光触媒等を含有した塗料が表面に塗布された通気性を有する木質面材料を用いた天井材を通過させて，広い面積を低速で室内空気を移動させることによって，室内空気中のＶＯＣ濃度を低減することを特徴とする換気構造。【選択図】図１
2008303697.tif 000002
【特許請求の範囲】
【請求項１】
天井の一部又は全面に適度な通気性を有する材料を配し，天井の一部から室内空気を天井裏に誘導し，別の一部から室内に戻すことを特徴とした空気循環システム。
【請求項２】
通気抵抗を大きくすることで，天井裏全体の圧力差を均一にしてムラの少ない通気をすることを特徴とした請求項１記載の空気循環システム。
【請求項３】
通気を有する材料の表面に空気中の有機物を分解する成分を含有した塗料を塗布した請求項１，２記載の空気循環システム。
【発明の詳細な説明】
【技術分野】
【０００１】本発明は，空気中の有機物を吸着・分解する効果を有する通気性のある材料を天井に活用した空気清浄システムの技術分野に属する。
【背景技術】
【０００２】天井面を通して通気する手法としては，天井下面を通して暖気を室内に導入する方法が考案されている（例えば特許文献１，特許文献２参照）。しかし，これらの方法は天井面からの給排気を行うために，専用チャンバーやダクトを配する必要がある。そのため，付加的な工事を必要とする。
【特許文献１】特開平６−５８６１２号公報（第６頁，図３）
【特許文献２】特開平８−１０５１４８号公報（第６頁，図７）
【０００３】また，光触媒等を利用して室内空気に含まれるＶＯＣを分解する方法としては，壁又は天井に光触媒等を含有した塗料を塗布して，その表面を流れる空気を浄化するものがある（例えば非特許文献１参照）。この方法は，成り行きでＶＯＣが光触媒に接触することを期待したものであるため，その効果は高くない。また，照明機器の笠部分に光触媒を含有した塗料を塗布し，その照明の取り付け部分に排気孔を配したものもある（特許文献３参照）。これは，光触媒塗料の塗布面積が小さくかつ紫外線量が少ないことから，効果は期待できない。さらに，天井材に有孔板を配して，天井面裏を排気チャンバーとする空調装置があるが（特許文献４参照），室内空気を排気する目的の空調装置であり，光触媒機能を効果的に発揮して，空気中のＶＯＣを吸着・分解することで除去することを目的とする構造ではない。さらに，有孔板を使用することから，空隙が大きく，排気ムラを生じやすく，流速が速いことから，ＶＯＣの分解効果は低い。
【非特許文献１】「エアピュアレ  カタログ」，上商株式会社・新東北化学工業株式会社，２００５年，２頁
【特許文献３】特開２０００−６５３９６（第３頁，図１）
【特許文献４】特開平６−２２９５８４（第３頁，図１）
【発明の開示】
【発明が解決しようとする課題】
【０００４】光触媒による室内空気中のＶＯＣの分解は，室内の紫外線量が少なく光触媒塗料の塗布面積が少ないことから，あまり効果が見られない。加えて，室内空気が成り行きの対流によって光触媒に接触することから，低濃度でのＶＯＣが光触媒に接触する確率が低くなるため，さらに光触媒によるＶＯＣ分解効果が少なくなっている。【０００５】また，強制的に集気する光触媒活用空気清浄機では，紫外線ランプによって強い紫外線を照射することが可能であるが，フィルターを通過する流速が速いことや空気清浄機近傍の空気がショートサーキットをおこすことから，処理できない空気を生じる可能性があり，室内のＶＯＣ濃度低減効果は高くない。
【課題を解決するための手段】
【０００６】請求項１記載の発明は，室内の少ない紫外線を大きな面積を占める天井面で受けることによって，小さい面積に強い紫外線を受けた場合に相当する効果を得ることができる。【０００７】また，天井の広い面から分散して空気を通気することによって，天井面材を通過する際の流速が１ｃｍ／秒程度に遅くなる。光触媒等を含有した塗料を塗布した材料表面を通過する空気の流速が遅い方が，ＶＯＣの除去率が高くなる（非特許文献２参照）ことから，天井面材を通過する際に，ＶＯＣの分解効率を高くすることができる。さらに，通気抵抗を大きくすることによって，天井裏全体の圧力差が均一な状態に近くなることから，天井面全体からのムラの少ない通気を行うことができる。
【非特許文献２】「愛知県産業技術研究所研究報告第３号」，愛知県産業技術研究所，２００４年，１３頁
【発明の効果】
【０００８】本発明によって，効率的に空気を清浄化することが可能となり，室内空気を快適な状態に保つことができる。
【発明を実施するための最良の形態】
【０００９】上記の本発明について，図面を用いて下記にさらに詳しい説明を行う。図１は，天井面及び天井裏空間の構造及び室内空気の移動経路を示した断面図である。図２は，天井裏の空気移動を示した平面図である。図中の１は通気性を有する面材料で構成される天井構造材，２は通気性を有しない面材料で構成される天井裏表面仕上げ材，３は通風ファン，４は通気性を有しない隔壁，５は通風ファン３を稼働することによって負圧を生じた天井裏空間，６は通風ファンを稼働することによって正圧を生じた天井裏空間，７は紫外線光源，８は採光窓を示している。【００１０】１は，木毛にセメント，石膏，珪藻土，漆喰などの無機質材料を混合して製造した，約２０ｍ３／ｍ２／ｐａ／時間の通気性を有する面材料である。【００１１】対象室の天井裏に設置された３を稼働することで，５が負圧となり，室内の空気が１から流入する。また，正圧となった６から１を通して室内に流入する。【００１２】１には光触媒含有塗料などの有機物分解機能を有した塗料を塗布する。また，天井裏にＵＶＬＥＤやＵＶ蛍光灯などの７，また８を用いて外光を導入することができる。【００１３】室内の空気は，１の表面に接触しながら５に流入する。その際，１の表面に塗布された有機物分解機能を有した塗料に接触することにより，空気中の揮発性有機化合物が酸化還元反応により分解され，より分子量の小さい化合物に分解される。また，５から３を通して６に異動した空気は，１の表面に接触しながら室内に流入する。その際，再度１の表面に塗布された有機物分解機能を有した塗料に接触するため，空気中の揮発性有機化合物の分解効率が向上する。【００１４】１は，木材に無機質材料を付着させることによって，有機物である木材が有機物分解機能を有する塗料によって分解されることを防止し，かつ面密度を変えることによって適切な通気量を調整することが可能な材料である。
【図面の簡単な説明】
【００１５】
【図１】天井面および天井裏空間の構造及び室内空気の移動経路を示した断面図である。
【図２】天井裏空間の空気移動経路を示した平面図である。
【符号の説明】
【００１６】１  通気性を有する面材料で構成される天井構造材
２  通気性を有しない面材料で構成される天井裏仕上げ材
３  通風ファン
４  通気性を有しない隔壁
５  負圧を生じた天井裏空間
６  正圧を生じた天井裏空間
７  紫外線光源
８  採光窓
【図１】
2008303697.tif 000003
【図２】
2008303697.tif 000004
(57)【要約】      （修正有）【課題】本考案装置は、大勢の人に、地球環境を考えてもらう一歩に空から降ってくる雨水を、手軽に使用してほしい。【解決手段】建物の竪どい１中間に、雨どい流水仕切装置を直接接続。雨どい流水仕切装置の分水口の下に、貯水容器を置き、浮き玉１３が下がると紐１２につなげてある流水仕切を促す長方形平板９を引っ張り平板Ｖ形状Ｖの左側８を右に押し上げる。平板Ｖ形状Ｖの右側７右に下がり円形平板仕切弁３が、排水溝への流水を塞ぎ分水口から貯水容器へ流れる。  満水になると浮き玉１３が浮き上がり紐１２が、ゆるみ流水仕切を促す長方形平板９が、左に移動する。平板Ｖ形状Ｖ字が、左に傾き円形平板仕切弁３が、分水口を塞ぎ排水溝へ流す。【選択図】図１
2008303695.tif 000002
【特許請求の範囲】
【請求項１】
（イ）  横円筒２平行同円形に竪円筒１左側上部に、穴をあけ接合。
側溝壁板両側面５の中央を左右平行に細長く切り抜き、平板Ｖ形状Ｖの鋭角支点６を側溝壁板両側面５右側の側溝に、挟み両側面と合わせ心棒を通し止め回転仕様に取つけ、側溝壁板両側面５右側とＶの右側一辺７通す穴を、竪円筒１左側下部に、横円筒２平行に穴をあけ通し接合する。
円形平板仕切弁３下側４と回転仕様に連結する。
（ロ）  竪円筒外側の平板Ｖ形状Ｖの左側一辺８に、仕切を促す長方形平板９を回転仕様に取付ける。
側溝壁板両側面５を左右に細長く切り抜いた空間に反対側１０の先端を両側面に、挟み合わせ心棒を通し止め左右移動仕様に取付ける。
【発明の詳細な説明】
【発明の詳細な説明】
【産業上の利用分野】
【０００１】  本考案装置は、電気・公営水道は使用しない。屋根に降った雨を竪どいの中間に、雨どい流水仕切装置を直接接続して自然水を自由な貯水容器に溜て利用する装置である。
接続する竪どいの外周より広い竪円筒左側上部に、同円形に分水口を切り抜き横円筒を接合する。
竪円筒内側の分水口下と円形平板仕切弁の端を蝶番１１で固定する。
流水仕切は、側溝壁板両側面の中央を左右平行に細長く切り抜き、平板Ｖ形状Ｖの鋭角支点を側溝壁板両側面右端の側溝に、挟み両側面に合わせ、心棒を通し止め回転仕様に取付る。
竪円筒左側下部に、側溝壁板両側面を通す穴を横円筒と平行にあけ、側溝壁板両側面右側に取付けた平板Ｖ形状Ｖの右一辺だけを通し、円形平板仕切弁下側と回転仕様に連結する。
竪円筒外側の平板Ｖ形状Ｖの左一辺に、流水仕切を促す長方形平板を回転仕様に取付。反対側の先を側溝壁板両側面を、左右細長く切り抜いた空間で両側面に挟み合わせ心棒を通し止め左右移動仕様にする。
側溝の中の長方形平板先を紐１２つなぎ側溝壁板両側面右寄りから垂れ下げた紐の先端に、浮き玉１３をつけ横円筒出水口下に置いた貯水容器の中に紐の長さを調整して垂れ下げる。貯水容器中で浮き玉の上下で流水を仕切る装置である。
【背景技術】
【０００２】  これまでの貯水漕一体構造では、高級大型で簡単に設置が出来ない。
【発明が解決しようとする課題】
【０００３】  本考案装置は、屋根からの竪どいがあれば、何個所も接続が出来る。出水口下の広さに合わせて貯水容器を置きます。どんな容器でも使用出来る。接続する竪どいの高さを、変えることで色々な個所への配水も出来る。
【課題を解決するための手段】
【０００４】（イ）  竪どいに、流水仕切装置を直接つなげる。貯水容器を別にした。
（ロ）  貯水容器中に、糸につけた浮き玉の浮き沈みで仕切替える。
（ハ）  貯水容器は、既製容器を使える。リサイクル品も使える。
【作用】
【０００５】  竪どい中間に本考案装置を接続して竪どい脇の面積に、合わせて空貯水容器を置きます。側溝壁板両側面右よりの側溝から垂れ下げた。浮き玉を入れ底に届くよう調整する。浮き玉が下がると紐に引っ張られ、側溝壁板両側面内の長方形平板先端が右に移動。竪円筒外側の平板Ｖ形状Ｖの左側一辺を押し上がると竪円筒内側の分水口下に、蝶番で固定した円形平板仕切弁が、分水口を開き、排水溝への流水を塞ぎ貯水容器へ雨水は流れ溜める。
貯水容器の雨水が、満水になると浮き玉が上がり、側溝壁板両側面内の長方形平板先端が左に移動。竪円筒外側の平板Ｖ形状Ｖの左側一辺が下がり竪円筒内側の分水口下に、蝶番で固定した円形平板仕切弁が、分水口を塞ぎ竪どいの雨水は直接排水溝へ流れる。
【実施例】
【０００６】  本考案装置は、実施にあたってつぎのようなことが出来る
（イ）電気・公営水道、高度な技術も要らず。雨水を必要とする場所に近い竪どいごとに、接続設置することで便利に、雨水使うことで水不足・温暖化を抑える自然に、優しい省力化にもなる。
（ロ）雨水を竪どいから排水溝全部流さず。雨どい流水仕切装置で仕切った雨水を溜め貯水容器から、庭の植物へ水やりをはじめ、車を洗う・道路に打ち水をして少しでも水不足と温暖化を防ぎ役立てたい。
【発明の効果】
【０００７】  したがって、本考案装置は、建物ごとに沢山設置することで、これからの水不足も温暖化をも防ぐことが出来る。雨水漉過技術の発展次第で使用範囲も広くなり効果出てくる。水道料金が安くなった。
【図面の簡単な説明】
【図１】  本考案の斜視図
【符号の説明】
１は、竪円筒
２は、横円筒
３は、円形平板仕切弁
４は、下側
５は、側溝壁板両側面
６は、鋭角支点
７は、平板Ｖ形状Ｖの右側一辺
８は、平板Ｖ形状Ｖの左側一辺
９は、長方形平板
１０は、反対側
１１は、蝶番
１２は、紐
１３は、浮き玉
【図１】
2008303695.tif 000003
(57)【要約】      （修正有）【課題】有効性のあるアロエベラ乾燥濃縮粉末の提供。【解決手段】アロエベラを乾燥濃縮粉末化する場合、アロエベラの特徴であるヌルヌル感と成分を維持するために、低温保湿処理乾燥を行う。そのことにより、アロエベラのヌルヌル感と成分を粉末内に閉じ込めることが可能となる。この処理により、乾燥濃縮粉末化されたアロエベラが生のアロエベラと似た状態になり、水分を加えることによりアロエベラのヌルヌル感・成分が戻る。【効果】アロエベラゲルは体や美容に良い有効成分があるが、これまでの、アロエベラ乾燥濃縮粉末はアロエベラの一番の特徴であるヌルヌル感が無くなり有効性が殆どない。そのため、肌などに使用しても、本来のアロエベラゲルの使用感や効果が感じられなかったが、低温保湿処理乾燥により、改良された。【選択図】なし【特許請求の範囲】
【請求項１】
植物のアロエベラ１００％の葉肉部位を粉砕しそのゲルを低温保湿濃縮乾燥処理させたアロエベラ粉末。これまでアロエベラは乾燥濃縮粉末にした場合、アロエベラの特徴であるヌルヌル感が無くなり成分が殆ど無くなる。そのため肌などに使用しても効果を感じられない。ＧＩアロエは、濃縮乾燥の工程に低温保湿濃縮乾燥処理をすることにより生のアロエベラの成分やアロエベラの特徴であるヌルヌル感を粉末内に閉じ込めるため、濃縮粉末に水分を加え還元させるとヌルヌル感が再現し、元の新鮮なアロエベラゲル状にもどる。
【請求項２】
新鮮なアロエベラの状態に戻ったＧＩアロエは、長時間（約１週間）はそのヌルヌル感を持続させることができる。
【請求項３】
ＧＩアロエは、新鮮なアロエベラに類似した効果を持つ。
【請求項４】
ＧＩアロエは、美白効果、保湿効果、修復効果を持つ。
【請求項５】
ＧＩアロエは、粉末であるのに、水分を加えると、生のアロエベラと同様の状態になる。
【請求項６】
ＧＩアロエは、アロエの持つ成分・酵素が生に近い状態で存在する。
【発明の詳細な説明】
【発明の開示】
【発明が解決しようとする課題】アロエベラは乾燥し濃縮させると、アロエベラの特徴であるヌルヌル感が無くなり、水分を加え還元させても、ヌルヌル感を取り戻すことが出来なく水のような粘着性の全くない状態になる。そのためアロエベラの有効成分が殆ど無くなり、肌などに使用しても効果を感じない。
【課題を解決するための手段】アロエベラを乾燥濃縮する際に、アロエベラの成分を粉末に閉じ込め、ヌルヌル感・成分が持続できる工程にする。乾燥濃縮する際に、低温保湿処理で乾燥することによりアロエベラのヌルヌル感と成分を保存させる。
【発明の効果】アロエベラのヌルヌル感を維持させる状態に保つため、乾燥工程を低温保湿処理で行い、アロエベラの成分を濃縮粉末に閉じ込め、水分と有効成分の持続を保ちながら長時間乾燥する。この低温保湿処理によりアロエベラのヌルヌル感と成分が維持でき、粉末に約４１度の水分を加えることにより生のアロエゲル状になり、生のアロエベラと同様の効果を得られる。
【発明を実施するための最良の形態】アロエベラゲルを粉砕し、低温保湿処理で乾燥濃縮させる。